(57)【要約】【課題】  無線ＬＡＮアクセスポイントの設定プロファイルを運用中のものから他の設定プロファイルに容易かつ迅速に変更することができるようにする。【解決手段】  無線ＬＡＮアクセスポイント１００は、２つの設定プロファイルである平時設定プロファイル１６１と緊急時設定プロファイル１６２とを格納する内部メモリー１６０と、運用中の設定プロファイルを他の設定プロファイルに切り換える切換部１７０とを備えており、前記２つの設定プロファイルである平時設定プロファイル１６１と緊急時設定プロファイル１６２との管理番号は異なっており、前記切換部１７０で管理番号を指定して設定プロファイルを切り換えるようになっている。【選択図】      図１
2017034485.tif 000002
【特許請求の範囲】
【請求項１】
複数の設定プロファイルを格納する内部メモリーと、運用中の設定プロファイルを他の設定プロファイルに切り換える制御部と、前記制御部に対して切換信号を送出する切換部とを具備しており、前記複数の設定プロファイルの設定項目として管理番号とＳＳＩＤとを含み、前記複数の設定プロファイルには異なる管理番号が付されており、前記切換部では管理番号を指定する切換信号を送出し、設定プロファイルを切り換えるようになっていることを特徴とする無線ＬＡＮアクセスポイント。
【請求項２】
前記複数の設定プロファイルごとに異なるＳＳＩＤが付されていることを特徴とする請求項１記載の無線ＬＡＮアクセスポイント。
【請求項３】
前記切換部は、無線ＬＡＮアクセスポイントに無線又は有線で接続され、前記制御部に対して運用中の設定プロファイルを他の設定プロファイルに切り換えるための手動切換信号を送出するものであり、前記手動切換信号は管理番号を指定するものであることを特徴とする請求項１又は２記載の無線ＬＡＮアクセスポイント。
【請求項４】
前記切換部は、外部からの緊急警戒システムの警戒情報を受信する受信部と、この受信部が警戒情報を受信したならば、運用中の設定プロファイルを特定の緊急時設定プロファイルに切り換えるべく、前記制御部に自動切換信号を送出する切換信号送出部とを有しており、前記緊急時設定プロファイルは、警戒情報を受信した場合に切り換えられる設定プロファイルとして予め規定されており、前記自動切換信号は、緊急時設定プロファイルの管理番号を指定するものであることを特徴とする請求項１又は２記載の無線ＬＡＮアクセスポイント。
【請求項５】
複数の設定プロファイルを格納する内部メモリーと、運用中の設定プロファイルを他の設定プロファイルに切り換える制御部と、前記制御部に対して切換信号を送出する切換部とを具備しており、前記複数の設定プロファイルの設定項目としてＳＳＩＤを含み、前記複数の設定プロファイルには異なるＳＳＩＤが付されており、前記切換部ではＳＳＩＤを指定する切換信号を送出し、設定プロファイルを切り換えるようになっていることを特徴とする無線ＬＡＮアクセスポイント。
【請求項６】
制御部が切換部から送出された切換信号に応じて運用中の設定プロファイルを他の設定プロファイルに切り換える無線ＬＡＮアクセスポイントの制御方法において、前記設定プロファイルの設定項目として管理番号とＳＳＩＤとを含み、前記設定プロファイルには異なる管理番号が付されており、前記切換信号は切り換えるべき設定プロファイルの管理番号を指定するものであることを特徴とする無線ＬＡＮアクセスポイントの制御方法。
【発明の詳細な説明】
【技術分野】
【０００１】
本発明は、無線ＬＡＮアクセスポイントと、この無線ＬＡＮアクセスポイントの制御方法とに関する。
【背景技術】
【０００２】
無線ＬＡＮアクセスポイントは、パーソナルコンピューターやスマートフォン等の無線端末と接続するための設定情報を設定プロファイルとして有している。無線端末を無線ＬＡＮアクセスポイントと接続するためには、無線端末側の無線ＬＡＮの設定を前記設定プロファイルと一致させる必要がある。
無線端末側では、無線ＬＡＮの設定を行っておけば、次回からは新たな設定を行うことなく自動的に無線ＬＡＮに接続できるようになっている。
【０００３】
無線ＬＡＮアクセスポイントは、無線ＬＡＮを特定するネットワークの名称であるＳＳＩＤ（Service Set Identifier) をブロードキャストで送信している。無線端末側では、受信したＳＳＩＤのうちから使用する無線ＬＡＮアクセスポイントを特定するＳＳＩＤを選択し、そのＳＳＩＤを含んだ設定プロファイルに対応して無線ＬＡＮの設定を行うようになっている。
【０００４】
ところで、大震災等の大規模災害時に既存の無線ＬＡＮアクセスポイントを無料で開放するための災害時統一ＳＳＩＤというものがある。
この災害時統一ＳＳＩＤは、無線ＬＡＮビジネス推進連絡会が提唱した大規模災害時における公衆無線ＬＡＮの無料開放のためのＳＳＩＤである。かかる災害時統一ＳＳＩＤは、『00000JAPAN』とされ、無料開放かつ事業者共通で使用でき、ユーザー認証や暗号化を行わないものとなっている。そして、この災害時統一ＳＳＩＤの設定情報は公開されている。
大規模災害時にこの災害時統一ＳＳＩＤを使用するユーザー側は、無線端末で受信したＳＳＩＤのなかから災害時統一ＳＳＩＤである『00000JAPAN』を選択し、予め公開された災害時統一ＳＳＩＤの設定情報を設定することで既存の無線ＬＡＮアクセスポイントを利用することができるようになる。
一方、無線ＬＡＮアクセスポイントは、平時に運用している設定プロファイルから災害時統一ＳＳＩＤに切り換えるためには、その無線ＬＡＮアクセスポイントを運用している管理者が、ＳＳＩＤを始めとする各種の設定情報を変更する必要がある。
【０００５】
災害時統一ＳＳＩＤに限らず、無線ＬＡＮ接続のための各種設定の設定情報を一まとめにした設定プロファイルを容易に変更する技術として、特開２００６−２０３２８９号公報記載のものがある。この特許文献１に記載された技術では、記録媒体に予め設定プロファイルを書き込んでおき、この記録媒体を無線ＬＡＮアクセスポイントに接続して設定プロファイルを変更するようになっている。
【０００６】
【特許文献１】特開２００６−２０３２８９号公報
【発明の開示】
【発明が解決しようとする課題】
【０００７】
しかしながら、特許文献１に記載の技術では各無線ＬＡＮアクセスポイントに記録媒体を接続する必要があり、しかも公衆無線ＬＡＮアクセスポイントは電信柱等の高所に設置されることが多く、記録媒体を接続する作業は混乱した大規模災害時にはかなりの困難を伴うことが予想される。これは、特許文献１が、無線ＬＡＮアクセスポイントのＩＰアドレスを忘れた場合や、無線ＬＡＮアクセスポイントを買い換えた場合等のいわば平時における設定プロファイルの変更を想定したものである以上、仕方がないものともいえよう。
また、大規模災害時に無線ＬＡＮアクセスポイントが緊急時にだれでもが使用できるようになったことを一般の使用者に伝える必要がある。このため、一般の無線端末から確認することができるＳＳＩＤで、その旨を伝えることが重要であるが、特許文献１記載の技術ではこの点については言及していない。
【０００８】
本発明は、上記事情に鑑みて創案されたもので、無線ＬＡＮアクセスポイントの設定プロファイルを運用中のものから他の設定プロファイルに容易かつ迅速に変更することができる無線ＬＡＮアクセスポイント及び無線ＬＡＮアクセスポイントの制御方法を提供することを目的としている。
【課題を解決するための手段】
【０００９】
本発明に係る無線ＬＡＮアクセスポイントは、複数の設定プロファイルを格納する内部メモリーと、運用中の設定プロファイルを他の設定プロファイルに切り換える制御部と、前記制御部に対して切換信号を送出する切換部とを備えており、前記複数の設定プロファイルの設定項目として管理番号とＳＳＩＤとを含み、前記複数の設定プロファイルには異なる管理番号が付されており、前記切換部では管理番号を指定する切換信号を送出し、設定プロファイルを切り換えるようになっている。
【００１０】
また、本発明に係る無線ＬＡＮアクセスポイントの制御方法は、制御部が切換部から送出された切換信号に応じて運用中の設定プロファイルを他の設定プロファイルに切り換える無線ＬＡＮアクセスポイントの制御方法であって、前記設定プロファイルの設定項目として管理番号とＳＳＩＤとを含み、前記設定プロファイルには異なる管理番号が付されており、前記切換信号は切り換えるべき設定プロファイルの管理番号を指定するものである。
【発明の効果】
【００１１】
本発明に係る無線ＬＡＮアクセスポイントでは、運用中の設定プロファイルを異なる設定プロファイルに切り換えるためには、切り換えられるべき設定プロファイルの管理番号を管理者が指定するだけでよいので、管理者が各種項目の設定を個々別々に変更する必要はない。このため、無線ＬＡＮアクセスポイントの技術的内容をそれほど熟知していない管理者であっても容易かつミスなく行うことが可能となっている。
このような無線ＬＡＮアクセスポイントは、特に大規模災害が発生したような緊迫した状況下にあっても、スムーズに緊急時設定プロファイルによる運用が可能となるというメリットがある。
また、この無線ＬＡＮアクセスポイントであると、一般の無線端末からは緊急時設定プロファイルで運用中の無線ＬＡＮアクセスポイントのＳＳＩＤ（例えば、『ＥＭＥＲＧＥＮＣＹ』）を確認することができ、そのＳＳＩＤを選択することで、無線ＬＡＮアクセスポイントを介してインターネットやＬＡＮなどのネットワークを簡単に利用できるようになる。
【図面の簡単な説明】
【００１２】
【図１】本発明の第１の実施の形態に係る無線ＬＡＮアクセスポイントの概略的ブロック図である。
【図２】本発明の第１の実施の形態に係る無線ＬＡＮアクセスポイントの動作のフローチャートである。
【図３】本発明の第１の実施の形態に係る無線ＬＡＮアクセスポイントに使用されるリモートコントロール装置の概略的平面図である。
【図４】本発明の第３の実施の形態に係る無線ＬＡＮアクセスポイントの概略的ブロック図である。
【発明を実施するための形態】
【００１３】
本明細書中における無線ＬＡＮアクセスポイントは、例えばＷｉ−Ｆｉ（登録商標）に代表される通信ネットワークの端末でコンピューターやスマートフォン等の一般の無線端末４００の接続要求を受け付け、ネットワークへの通信を仲介する機器のことである。この無線ＬＡＮアクセスポイントには、通信サービス事業者が屋外に設置するものの他に、公共施設、宿泊施設、各種店舗等が顧客サービスのために設置するもの、個人が家庭で使用するものもある。
【００１４】
本発明の第１の実施の形態に係る無線ＬＡＮアクセスポイント１００は、２つの設定プロファイル（無線ＬＡＮアクセスポイント１００と無線端末とを接続するための設定情報を一まとめにしたもの）である平時設定プロファイル１６１と緊急時設定プロファイル１６２とを格納する内部メモリー１６０と、運用中の設定プロファイルを他の設定プロファイルに切り換える制御部１１０と、前記制御部１１０に対して手動切換信号１７１を送出する切換部１７０とを備えており、前記２つの設定プロファイル１６１、１６２の設定項目として管理番号（平時設定プロファイル１６１は管理番号１番、緊急時設定プロファイル１６２は管理番号２番）とＳＳＩＤとを含み、前記複数の設定プロファイルには異なる管理番号が付されており、前記切換部１７０では管理番号を指定して設定プロファイルを切り換えるようになっている。
【００１５】
この無線ＬＡＮアクセスポイント１００は、マイクロコンピューターを含む制御部１１０を有する。この制御部１１０に有線通信コントローラ１２０、無線通信コントローラ１３０、操作部１４０、表示部１５０、内部メモリー１６０、切換部１７０が接続されている。制御部１１０は、プログラムを実行することで図２のフローチャートに示されるような処理等を実行する。有線通信コントローラ１２０にはイーサネット（登録商標）やＵＳＢ（Universal Serial Bus）ケーブルなどの有線通信ケーブル２１０が接続される。また、無線通信コントローラ１３０には、送信回路１３１、受信回路１３２が接続されている。送信回路１３１、受信回路１３２は、無線ＬＡＮを介して、設定用の無線端末３００や一般の無線端末４００と通信する。操作部１４０は、ユーザーによる設定操作等を受け付ける。表示部１５０は、現在の動作状態等を表示する。
この無線ＬＡＮアクセスポイント１００は、ＩＥＥＥ８０２．１１やＷｉ−Ｆｉなどの仕様に準拠している。
【００１６】
前記無線通信コントローラ１３０は、送信回路１３１及び受信回路１３２を介してパーソナルコンピューターやスマートフォン等の設定用の無線端末３００や一般の無線端末４００の無線ＬＡＮ送受信部と無線接続されるものである。
また、有線通信コントローラ１２０は、有線通信ケーブル２１０を介して設定用のパーソナルコンピューター２００（以下、『設定用のＰＣ２００』とする）と接続される部分である。
前記無線通信コントローラ１３０や有線通信コントローラ１２０に接続された設定用のＰＣ２００を用いて、内部メモリー１６０に２つの設定プロファイルである平時設定プロファイル１６１と緊急時設定プロファイル１６２を格納させたり、切換部１７０によって運用中の設定プロファイルを他の設定プロファイルに切り換えたりするようになっている。
なお、設定用のＰＣ２００のみならず、無線通信コントローラ１３０を介して接続された設定用のＰＣ２００やスマートフォン等の設定用の無線端末３００でも、設定プロファイルの内部メモリー１６０への格納や、設定プロファイルの切り換えを行うこともできるようになっている。
【００１７】
本明細書では、本発明の実施の形態に係る無線ＬＡＮアクセスポイント１００は、２つの設定プロファイル、すなわち平時に使用される平時設定プロファイル１６１と、大規模災害に使用される緊急時設定プロファイル１６２との２つの設定プロファイルを内部メモリー１６０に格納しているものとして説明するが、本発明がこれに限定されるものでないことはいうまでもない。
すなわち、本発明に係る無線ＬＡＮアクセスポイント１００は、内部メモリー１６０に格納される設定プロファイルとして上記の２つの平時設定プロファイル１６１と緊急時設定プロファイル１６２のみに限定されるものではなく、３つ以上の設定プロファイルを格納するものであってもよく、緊急時設定プロファイル１６２のＳＳＩＤも災害時統一ＳＳＩＤに限定されるものでないことはいうまでもない。
【００１８】
前記平時設定プロファイル１６１は、有線で有線通信コントローラ１２０を介して接続された設定用のＰＣ２００で設定される。この設定はＷｅｂ画面やＴＥＬＮＥＴなどで行う。
この平時設定プロファイル１６１の設定項目であるＳＳＩＤ、暗号化方式、共有鍵（パスワード）、ＭＡＣアドレスフィルタリング等は、管理者が任意に設定することができる。ただし、設定項目の一つであるＳＳＩＤは、平時設定プロファイル１６１と緊急時設定プロファイル１６２とでは同じものとすることができないようにしてもよい。
表１に示すように、平時設定プロファイル１６１は、管理番号１番として登録されており、ＳＳＩＤの項目は平時に運用するものであることが分かりやすいように、例えば「ＵＳＵＡＬ」と設定されている。
また、この平時設定プロファイル１６１は不特定多数の一般の無線端末４００から接続されることを防ぐために、暗号化が有効となっており、共有鍵（パスワード）も設定され、ＭＡＣアドレスフィルタリング（無線端末のＭＡＣアドレスによる接続制限機能）も有効となっている。
ただし、平時設定プロファイル１６１がいわゆるステルスＳＳＩＤを採用している場合には、ＳＳＩＤも公開されることはない。
なお、表１では、暗号化方式をＷＰＡ２−ＰＳＫ／ＡＥＳとしているが、本発明がこれに限定されるものでないことはいうまでもなく、他の暗号化方式も採用することができる。また、表１では、共有鍵（パスワード）は『abc123dEfg』とされているが、この共有鍵（パスワード）が一例であることはいうまでもない。
また、本明細書では設定プロファイルは『管理番号』で識別されるとしたが、この『管理番号』は数字のみを意味するものではなく、他の符号、例えばアルファベット、五十音、各種の記号等、識別するための符号を含んだ概念である。
【００１９】
【表１】
2017034485.tif 000003
【００２０】
前記緊急時設定プロファイル１６２も、有線で有線通信コントローラ１２０を介して接続された設定用のＰＣ２００で設定される。この設定はＷｅｂ画面やＴＥＬＮＥＴなどで行う。
この緊急時設定プロファイル１６２は、表１に示すように、管理番号２として登録されており、ＳＳＩＤの項目は非常時に運用するものであることが緊急時にも分かりやすいように、例えば「ＥＭＥＲＧＥＮＣＹ」と設定されている。
また、この緊急時設定プロファイル１６２は，無線ＬＡＮアクセスポイント１００がすべての一般の無線端末４００に開放されることを前提としているので、暗号化は無効、共有鍵（パスワード）も設定されておらず、ＭＡＣアドレスフィルタリングも無効となっている。
なお、共有鍵（パスワード）を設定する場合であれば、例えば『ＡＢＣＤＥ』や『ＰＡＳＳＷＯＲＤ』等の簡便なものとすることが望ましい。
また、この緊急時設定プロファイル１６２のＳＳＩＤは、いわゆるステルスＳＳＩＤとされることはない。なお、この緊急時設定プロファイル１６２のＳＳＩＤは、日頃から公開されていてもよいし、この無線ＬＡＮアクセスポイント１００の設置箇所の近傍に常時掲示しておいてもよい。また、緊急時設定プロファイル１６２の運用が開始された時点で設置箇所の近傍に掲示するようにしてもよい。
【００２１】
なお、上述した説明では、平時設定プロファイル１６１、緊急時設定プロファイル１６２の設定は設定用のＰＣ２００を有線通信コントローラ１２０を介して有線で接続して行われるとしたが、本発明はこれに限定されるものではなく、無線で接続して設定されることも可能である。この場合には、設定用のＰＣ２００で無線ＬＡＮアクセスポイント１００の出荷時に設定されたＳＳＩＤとＩＰアドレスとを選択し、出荷時に設定されたユーザー名及びパスワードを入力することによって、無線通信コントローラ１３０を介して設定用のＰＣ２００と無線ＬＡＮアクセスポイント１００とを接続して行う。
【００２２】
また、設定用のＰＣ２００ではなく、有線通信コントローラ１２０や無線通信コントローラ１３０を介して接続された一般的なスマートフォン等の無線端末３００を用いて、平時設定プロファイル１６１、緊急時設定プロファイル１６２の各種の設定を行うようにしてもよい。その場合は、無線端末３００にインストールされているＷｅｂブラウザ又は専用のアプリケーションにて設定を行う。
【００２３】
平時における無線ＬＡＮアクセスポイント１００では、管理番号が１の平時設定プロファイル１６１が選択されており、その平時設定プロファイル１６１に従って無線ＬＡＮアクセスポイント１００と一般の無線端末４００との間の通信が行われ、インターネットやＬＡＮなどのネットワークの利用が可能となっている。
【００２４】
一方、万が一、大規模災害が発生して緊急時設定プロファイル１６２による運用が必要になった場合には、管理者は平時設定プロファイル１６１を緊急時設定プロファイル１６２に切り換えなければならない。
この緊急時設定プロファイル１６２への切換について、図２を参照しつつ説明する。
まず、無線ＬＡＮアクセスポイント１００を設定用のＰＣ２００に無線又は有線で接続する。
管理者はＷｅｂ画面上で無線ＬＡＮアクセスポイント１００の設定プロファイル変更画面を呼び出す。
ここで、すでに運用中の設定プロファイルが緊急時設定プロファイル１６２に切り換わっていたならば、すなわち管理番号が２であったならば終了する（Ｓ１参照）。
運用中の設定プロファイルがまだ平時設定プロファイル１６１であったならば（Ｓ１参照）、すなわち運用中の設定プロファイルの管理番号が１であったならば、この設定プロファイル変更画面で運用中の設定プロファイルを平時設定プロファイル１６１から緊急時設定プロファイル１６２へと切り換える。この緊急時設定プロファイル１６２への切り換えは、緊急時設定プロファイル１６２を示す管理番号２を選択することで行われる。
【００２５】
切換部１７０は、管理番号２が選択されたならば、運用中であった平時設定プロファイル１６１を緊急時設定プロファイル１６２に切り換えるための手動切換信号１７１を制御部１１０に送出し、手動切換信号１７１を受けた制御部１１０は手動切換信号１７１による指示に従って以下の動作を行う。
まず、現在運用中の平時設定プロファイル１６１を一まとめにして、内部メモリー１６０に書き込んで退避させる（Ｓ２参照）。平時設定プロファイル１６１の退避が完了したならば、管理者が設定プロファイル変更画面で選択した管理番号２である緊急時設定プロファイル１６２を内部メモリー１６０から呼び出して展開する（Ｓ３参照）。
【００２６】
選択された緊急時設定プロファイル１６２を運用中の設定プロファイルとし、その緊急時設定プロファイル１６２の管理番号２を内部メモリー１６０に書き込む（更新）する（Ｓ４参照）。
緊急時設定プロファイル１６２の展開が完了したならば、無線ＬＡＮアクセスポイント１００を再起動させて（Ｓ５参照）、緊急時設定プロファイル１６２での運用を開始する。
【００２７】
上述した管理者による緊急時設定プロファイル１６２の選択は、緊急時設定プロファイル１６２の管理番号２を指定するだけでよく，管理者が各種項目の設定を個々別々に変更する必要はないので、無線ＬＡＮアクセスポイント１００の技術的内容をそれほど熟知していない管理者であっても容易かつミスなく行うことが可能となっている。このため、大規模災害が発生したような緊迫した状況下でも簡単に緊急時設定プロファイル１６２による運用を開始することができる。
【００２８】
なお、公衆無線ＬＡＮのための無線ＬＡＮアクセスポイント１００は、電信柱等の高所に設置されることが多いので、設定用のＰＣ２００への接続は有線だけでなく無線で行うことができるようになっていることが望ましい。
特に、災害により設定用のＰＣ２００と無線ＬＡＮアクセスポイント１００との間の有線による接続が遮断されたものの、インターネットへの経路は生きているような場合は無線での設定が有効である。
【００２９】
一般の無線端末４００からは、緊急時設定プロファイル１６２で運用中の無線ＬＡＮアクセスポイント１００のＳＳＩＤ（例えば、『ＥＭＥＲＧＥＮＣＹ』）を確認することができるので、緊急時設定プロファイル１６２で運用中であることを容易に確認でき、このＳＳＩＤでのインターネットやＬＡＮなどのネットワークの利用ができるようになる。
【００３０】
なお、緊急時設定プロファイル１６２から平時設定プロファイル１６１への切り換え（復帰）は、平時設定プロファイル１６１から緊急時設定プロファイル１６２への切り換えと同様に管理者が手動で行うようにしてもよいし、緊急時設定プロファイル１６２に切り換わってから所定時間が経過した時点で自動的に切り換えるようにしてもよい。自動的に切り換わるまでの所定時間も無線ＬＡＮアクセスポイント１００で任意に設定することができるようにすればよい。
【００３１】
上述した説明では、無線ＬＡＮアクセスポイント１００を設定用のＰＣ２００に無線又は有線で接続するとしたが、設定用のＰＣ２００の代わりに設定プロファイルを切り換えるための専用のリモートコントロール装置５００を使用することも可能である。
このリモートコントロール装置５００の一例としては、赤外線を用いたものが挙げられる。このリモートコントロール装置５００には、図３に示すように、無線ＬＡＮアクセスポイント１００の内部メモリー１６０に格納されている設定プロファイルの管理番号の一覧を表示することができる液晶ディスプレイ等の表示部５１０と、この表示部５１０に表示された設定プロファイルの管理番号から任意の設定プロファイルの管理番号を選択、決定することができる例えば十字キーからなる設定スイッチ５２０と、電源スイッチ等の各種スイッチ５３０と、図示しない赤外線発光部が設けられている。
【００３２】
かかるリモートコントロール装置５００は、電源がオンされると、接続された無線ＬＡＮアクセスポイント１００の内部メモリー１６０に格納された複数の設定プロファイルの管理番号の一覧が表示部５１０に表示されるようになっている。
表示部５１０に表示された複数の管理番号から緊急時設定プロファイル１６２を示す管理番号を設定スイッチ５２０で選択すると、現在運用中の平時設定プロファイル１６１を緊急時設定プロファイル１６２に切り換えるための信号が送出され、無線ＬＡＮアクセスポイント１００に設けられた赤外線受光部（図示省略）で受光される。赤外線受光部で前記信号が受光されたならば、制御部１１０は、現在運用中の平時設定プロファイル１６１を一まとめにして、内部メモリー１６０に書き込んで退避させる。さらに、平時設定プロファイル１６１の退避が完了したならば、選択した緊急時設定プロファイル１６２が内部メモリー１６０から呼び出され、展開される。そして、選択された緊急時設定プロファイル１６２を運用中の設定プロファイルとし、その緊急時設定プロファイル１６２の管理番号２番を内部メモリー１６０に書き込む（更新）する。
【００３３】
また、このような専用のリモートコントロール装置５００ではなく、有線通信コントローラ１２０や無線通信コントローラ１３０を介して接続された一般的なスマートフォン等の無線端末３００を用いて、平時設定プロファイル１６１から緊急時設定プロファイル１６２への切り換えを行うようにしてもよい。その場合は、無線端末３００にインストールされているＷｅｂブラウザ又は専用のアプリケーションにて設定を行う。
【００３４】
なお、上述した第１の実施の形態に係る無線ＬＡＮアクセスポイント１００では、設定プロファイルごとに異なる管理番号と異なるＳＳＩＤとを付し、切り換えるべき設定プロファイルを示す管理番号を指定することで設定プロファイルを切り換えるようにしたが、第２の実施の形態に係る無線ＬＡＮアクセスポイントは、管理番号の項目を設けることなく、ＳＳＩＤを指定し、その指定されたＳＳＩＤを内部メモリー１６０に書き込む（更新）ことで設定プロファイルを切り換えるようにすることも可能である。従って、この場合は、設定項目の一つであるＳＳＩＤは、平時設定プロファイル１６１と緊急時設定プロファイル１６２とでは同じものとすることができないようになっている。
この場合は、平時設定プロファイル１６１と緊急時設定プロファイル１６２との各項目の設定の一例は表２に示すようになる。
【００３５】
【表２】
2017034485.tif 000004
【００３６】
上述した第１の実施の形態に係る無線ＬＡＮアクセスポイント１００は、大規模災害が発生したならば、管理者が設定用のＰＣ２００、設定用の無線端末３００やリモートコントロール装置５００を用いて、運用する設定プロファイルを平時設定プロファイル１６１から緊急時設定プロファイル１６２へと手動で切り換えるようになっている。これは第２の実施の形態に係る無線ＬＡＮアクセスポイントでも同様である。
ところで、大地震等の大規模災害が発生すると、警戒情報を発信する緊急警戒システムが存在する。この緊急警戒システムの一例として気象庁が中心となって提供している緊急地震速報がある。この緊急地震速報は、地震発生後大きな揺れが到達する数秒から数十秒前に警戒警報を発することも企図した地震早期警戒システムである。
【００３７】
本発明に係る無線ＬＡＮアクセスポイントもこの緊急地震速報に代表される緊急警戒システムと連動させることが可能である。
この緊急警戒システムと連動させた本発明の第３の実施の形態に係る無線ＬＡＮアクセスポイント１００Ａは、２つの設定プロファイルである平時設定プロファイル１６１と緊急時設定プロファイル１６２とを格納する内部メモリー１６０Ａと、運用中の設定プロファイルを他の設定プロファイルに切り換える切換部１７０Ａとを備えており、前記平時設定プロファイル１６１と緊急時設定プロファイル１６２には異なる管理番号と異なるＳＳＩＤとが付されており、前記切換部１７０Ａは、外部からの緊急警戒システムの警戒情報６００を受信する受信部１７２Ａと、この受信部１７２Ａが警戒情報６００を受信したならば、運用中の平時設定プロファイル１６１を特定の緊急時設定プロファイル１６２に切り換えるべく、前記制御部１１０Ａに自動切換信号１７１Ａを送出する切換信号送出部１７３Ａとを有しており、前記緊急時設定プロファイル１６２は、警戒情報６００を受信した場合に切り換えられる設定プロファイルとして予め規定されており、前記自動切換信号１７１Ａは、緊急時設定プロファイル１６２の管理番号を指定するようになっている。
【００３８】
この第３の実施の形態に係る無線ＬＡＮアクセスポイント１００Ａの基本構成は、第１の実施の形態に係る無線ＬＡＮアクセスポイント１００と同一である。
この第３の実施の形態に係る無線ＬＡＮアクセスポイント１００Ａが、第１の実施の形態に係る無線ＬＡＮアクセスポイント１００と異なるのは、切換部１７０Ａが、外部からの緊急警戒システムの警戒情報６００を受信する受信部１７２Ａと、この受信部１７２Ａが警戒情報６００を受信したならば、運用中の平時設定プロファイル１６１を特定の緊急時設定プロファイル１６２に切り換えるべく、前記制御部１１０Ａに自動切換信号１７１Ａを送出する切換信号送出部１７３Ａとから構成される点である。
【００３９】
かかる第３の実施の形態に係る無線ＬＡＮアクセスポイント１００Ａは、マイクロコンピューターを含む制御部１１０Ａを有する。この制御部１１０Ａに有線通信コントローラ１２０Ａ、無線通信コントローラ１３０Ａ、操作部１４０Ａ、表示部１５０Ａ、内部メモリー１６０Ａ、切換部１７０Ａが接続されている。制御部１１０Ａは、プログラムを実行することで各種の処理を実行する。有線通信コントローラ１２０ＡにはイーサネットやＵＳＢ（Universal Serial Bus）ケーブルなどの有線通信ケーブル２１０が接続される。また、無線通信コントローラ１３０Ａには、送信回路１３１Ａ、受信回路１３２Ａが接続されている。送信回路１３１Ａ、受信回路１３２Ａは、無線ＬＡＮを介して、設定用の無線端末３００や一般の無線端末４００と通信する。操作部１４０Ａは、ユーザーによる設定操作等を受け付ける。表示部１５０Ａは、現在の動作状態等を表示する。
この無線ＬＡＮアクセスポイント１００Ａは、ＩＥＥＥ８０２．１１やＷｉ−Ｆｉなどの仕様に準拠している。
【００４０】
この第３の実施の形態に係る無線ＬＡＮアクセスポイント１００Ａにおける平時設定プロファイル１６１と緊急時設定プロファイル１６２との設定は、第１の実施の形態に係る無線ＬＡＮアクセスポイント１００と同様に有線又は無線で接続された設定用のＰＣ２００や設定用の無線端末３００を用いてＷｅｂ画面やＴＥＬＮＥＴなどで行う。
また、第３の実施の形態に係る無線ＬＡＮアクセスポイント１００Ａの平時設定プロファイル１６１や緊急時設定プロファイル１６２の設定項目も第１の実施の形態に係る無線ＬＡＮアクセスポイント１００のそれと同様である。
【００４１】
この第３の実施の形態に係る無線ＬＡＮアクセスポイント１００Ａは、緊急時設定プロファイル１６２での運用が必要になった場合、すなわち緊急警戒システムが警戒情報６００を発した場合、この警戒情報６００を受信することで、管理者がいなくても自動的に平時設定プロファイル１６１から緊急時設定プロファイル１６２に切り換える点が特徴である。
【００４２】
切換部１７０Ａを構成する受信部１７２Ａが警戒情報６００を受信すると、切換信号送出部１７３Ａは自動切換信号１７１Ａを制御部１１０Ａを介して内部メモリー１６０Ａに送出し、それまで運用していた平時設定プロファイル１６１を一まとめにして、内部メモリー１６０Ａに書き込んで退避させる。平時設定プロファイル１６１の退避が完了したならば、自動切換信号１７１Ａによって管理番号２番の緊急時設定プロファイル１６２が選択され、緊急時設定プロファイル１６２が内部メモリー１６０Ａから呼び出される。
【００４３】
選択された緊急時設定プロファイル１６２が、運用中の設定プロファイルとされ、その緊急時設定プロファイル１６２の管理番号２番を内部メモリー１６０Ａに書き込む（更新）する。
緊急時設定プロファイル１６２の展開が完了したならば、無線ＬＡＮアクセスポイント１００Ａが自動的に再起動されて、緊急時設定プロファイル１６２での運用を開始する。
【００４４】
この第３の実施の形態に係る無線ＬＡＮアクセスポイント１００Ａでは、緊急時設定プロファイル１６２の選択は、警戒情報６００を受信すると同時に自動的に行われるので、管理者による各種項目の設定はもちろんのこと、緊急時設定プロファイル１６２の選択すらも必要ないので、大規模災害が発生したような緊迫した状況下でも自動的かつスムーズに緊急時設定プロファイル１６２による運用が可能になる。
【００４５】
なお、上述した第３の実施の形態に係る無線ＬＡＮアクセスポイント１００Ａでは、警戒情報６００を受信することで平時設定プロファイル１６１から緊急時設定プロファイル１６２に切り換えられるとしたが、管理者による設定用のＰＣ２００等を使用しての切り換えもできるようにすることも可能である。すなわち、警戒情報６００の受信で自動的に切り換えるモードと、管理者によって手動で切り換えるモードの両モードを搭載したものとすることも可能である。
【００４６】
また、上述した２つの実施の形態では、設定プロファイルの１つを大地震等の大規模災害時に既存の無線ＬＡＮアクセスポイントを無料で開放するための緊急時設定プロファイル１６２としたが、本発明がこれに限定されるものでないことはいうまでもない。
例えば、貸会議室に無線ＬＡＮアクセスポイント１００が設置され、かつ時間帯によってその貸会議室の使用者が異なる場合、時間帯において設定プロファイルを切り換えるという使用態様も考えられる。
【００４７】
すなわち、１つの貸会議室を１０時から１２時はＡグループ、１３時から１７時はＢグループ、１８時から２０時はＣグループにそれぞれ使用させ、各グループが無線ＬＡＮを使用する場合、その貸会議室の無線ＬＡＮアクセスポイント１００の設定プロファイルが１つであると、共有鍵（パスワード）を設定していたとしても、１０時から１２時のＡグループの貸会議室の使用が終わった後でも、Ａグループは室外からその部屋の無線ＬＡＮアクセスポイント１００を使用することができる、いわゆる無断使用の問題がある。
しかしながら、１０時から１２時の設定プロファイル、１３時から１７時の設定プロファイル、１８時から２０時の設定プロファイルの共有鍵（パスワード）をそれぞれ異なったものにしておき、その時間帯に使用するグループにのみその時間帯の設定プロファイルの共有鍵（パスワード）を知らせておけば、時間帯で設定プロファイルを切り換えることで、その時間帯に貸会議室を使用するグループだけがその部屋の無線ＬＡＮアクセスポイント１００を使用することができるようになる。
また、Ａグループが時間帯や曜日によって異なる複数の施設（例えば複数の貸会議室）を使用する場合、グループのパーソナルコンピューターやスマートフォン等の一般の無線端末４００の設定を施設ごと（貸会議室ごと）に変更するのは不便であるが、施設の管理者が予めＡグループ用の設定プロファイルを用意しておき、Ａグループの使用前に無線ＬＡＮアクセスポイント１００の設定プロファイルを変更しておけば、Ａグループのメンバーが使用する一般の無線端末４００からは常に同じＳＳＩＤを確認することができ、無線端末４００の設定情報を変更する必要もないので非常に便利である。
【００４８】
このように、この無線ＬＡＮアクセスポイント１００は、緊急時設定プロファイル１６２だけでなく、貸会議室のように１つの無線ＬＡＮアクセスポイント１００を複数のグループが異なる時間帯に使用する場合でも、設定プロファイルを簡単に変更できるので、無線ＬＡＮアクセスポイント１００の無断使用を防ぐことができるし、同一グループが複数の施設を使用する場合にも便利である。
この無線ＬＡＮアクセスポイント１００であれば、貸会議室のみならず、宿泊施設や学校等の時間帯によって無線ＬＡＮアクセスポイント１００を使用する対象者が異なる施設に対応することができる。
【００４９】
また、この無線ＬＡＮアクセスポイント１００を可搬型とした場合、次のような使い方もできる。
場所Ａで使用する際の設定プロファイルと場所Ｂで使用する際の設定プロファイルとを異なるものにしておき、場所に応じて設定プロファイルを切り換えるようにすると、異なる場所でも同じ無線ＬＡＮアクセスポイント１００を使用することができる。
例えば、他人の無線端末から無線ＬＡＮアクセスポイント１００のＳＳＩＤが確認できても、使用している場所によってＳＳＩＤが異なるため、異なる場所において同一の無線ＬＡＮアクセスポイント１００を使用していることを他人に知られたくない場合に便利である。
【符号の説明】
【００５０】
１００    無線ＬＡＮアクセスポイント
１１０    制御部
１６０    内部メモリー
１６１    平時設定プロファイル
１６２    緊急時設定プロファイル
１７０    切換部
１７１    手動切換信号（切換信号）
【図１】
2017034485.tif 000005
【図２】
2017034485.tif 000006
【図３】
2017034485.tif 000007
【図４】
2017034485.tif 000008